(57)【要約】【課題】無彩色領域における色情報の評価値が極端に集中した箇所と、評価値が少量存在する箇所とが混在する場合にも、良好なホワイトバランス制御を行うことが可能なホワイトバランス制御装置を提供する。【解決手段】光学系を介して被写体からの光信号を電気信号であるカラー画像信号に変換して出力するカラー画像撮像手段を備え、該カラー画像撮像手段から入力されるカラー画像信号のゲインを調整してホワイトバランス制御を行うホワイトバランス制御装置において、色温度カーブに沿って、複数の色温度領域を設定し、該複数設定した色温度領域の内の或る色温度領域に評価値が集中した場合には、該集中した評価値のみからオートホワイトバランス制御を行う。【選択図】    図２
2004193712.tif 000002
【特許請求の範囲】
【請求項１】
光学系を介して被写体からの光信号を電気信号であるカラー画像信号に変換して出力するカラー画像撮像手段を備え、該カラー画像撮像手段から入力されるカラー画像信号のゲインを調整してホワイトバランス制御を行うホワイトバランス制御装置において、
色温度カーブに沿って、複数の色温度領域を設定し、該複数設定した色温度領域の内の或る色温度領域に評価値が集中した場合には、該集中した評価値のみからオートホワイトバランス制御を行うことを特徴とするホワイトバランス制御装置。
【請求項２】
請求項１記載のホワイトバランス制御装置において、
前記複数の色温度領域の内、評価値が集中する領域が複数ある場合には、評価値の多い色温度領域の評価値の加重からオートホワイトバランス制御を行うことを特徴とするホワイトバランス制御装置。
【請求項３】
請求項１〜請求項２記載のホワイトバランス制御装置において、
前記複数の色温度領域の内、優先順位をつけて１つの領域の評価値を用いてオートホワイトバランス制御を行うことを特徴とするホワイトバランス制御装置。
【請求項４】
光学系を介して被写体からの光信号を電気信号であるカラー画像信号に変換して出力し、該カラー画像信号のゲインを調整してホワイトバランス制御を行うホワイトバランス制御方法において、
色温度カーブに沿って、複数の色温度領域を設定するステップと、
該複数設定した色温度領域の内の或る色温度領域に評価値が集中した場合には、該集中した評価値のみからオートホワイトバランス制御を行うステップと
を備えたことを特徴とするホワイトバランス制御方法。
【請求項５】
請求項４記載のホワイトバランス制御方法において、
前記複数の色温度領域の内、評価値が集中する領域が複数ある場合には、評価値の多い色温度領域の評価値の加重からオートホワイトバランス制御を行うステップを備えたことを特徴とするホワイトバランス制御方法。
【請求項６】
請求項４〜請求項５記載のホワイトバランス制御方法において、
前記複数の色温度領域の内、優先順位をつけて１つの領域の評価値を用いてオートホワイトバランス制御を行うステップを備えたことを特徴とするホワイトバランス制御方法。
【請求項７】
請求項４〜請求項６記載のホワイトバランス制御方法のプログラムを、格納したことを特徴とするコンピュータが読み取り可能な記録媒体。
【発明の詳細な説明】
【０００１】
【発明の属する技術分野】
本発明は、ホワイトバランス制御装置およびホワイトバランス制御方法およびホワイトバランス制御方法を記録した記録媒体に関し、特に、無彩色領域における色情報の評価値が極端に集中した箇所と、評価値が少量存在する箇所とが混在する場合にも、良好なホワイトバランス制御を行うことが可能なホワイトバランス制御装置およびホワイトバランス制御方法およびホワイトバランス制御方法を記録した記録媒体に関する。
【０００２】
【従来の技術】
ＣＣＤ（ｃｈａｒｇｅ  ｃｏｕｐｌｅｄ  ｄｅｖｉｃｅ：電荷結合素子）を撮像素子として用いた画像入力装置のホワイトバランス制御は、光源の色温度によるＣＣＤの出力信号の色変化を、人間の目に不自然に感じさせないように補正する技術であり、ＣＣＤを用いた画像入力装置において必要不可欠である。
【０００３】
従来のホワイトバランス制御は、大別して２つの方式に分けられる。
一つ目は、画像入力装置（撮像装置）の撮像系とは別個に外部温度センサを設け、その出力信号に応じて撮像系からの色情報の補正を行う方式である。
【０００４】
二つ目は、実際に撮像系によって取り込まれた画像の色情報を用い、補正量を求めて色補正を行うＴＴＬ（Ｔｈｒｏｕｇｈ  Ｔｈｅ  Ｌｅｎｓ）方式である。このＴＴＬ方式は前記外部温度センサが不要なので、スチルカメラ，デジタルスチルカメラ，ビデオカメラ等の小型化を要求される機種に、好適である。
さらに、ＴＴＬ方式は、経験則に従って撮像画像中の全色差の総和を「０」にする全画面平均方式と、画像中の無彩色領域を抽出してその部分を白に合わせる無彩色抽出方式に分けられる。
【０００５】
従来の無彩色抽出方式としては、色情報のＹ，Ｃｒ，Ｃｂの値を用いてＣｒ／Ｙ，Ｃｂ／Ｙの値を求め、その値がＣｂ／Ｙ−Ｃｒ／Ｙ座標上の黒体輻射の色温度変化に沿った軌跡、即ち、無彩色領域の色温度による色変化に近い値かどうかを判定する方式が提案されている（特許文献１）。
ここに、Ｙは輝度信号、Ｃｒは色差信号（Ｒ−Ｙ）、Ｃｂは色差信号（Ｂ−Ｙ）、Ｒは赤の色情報、Ｂは青の色情報である。
【０００６】
以下、この無彩色抽出方式について簡単に説明する。
画像入力装置のＣＣＤカメラから得られるＹ，Ｃｒ，ＣｂからＣｒ／Ｙ，Ｃｂ／Ｙの値を求めると、Ｃｂ／Ｙ−Ｃｒ／Ｙ座標上にて、ＣＣＤカメラで取り込んだ撮像画像の色がその輝度によらずに一意に定まる。
ＣＣＤカメラから得られる色情報のホワイトバランス制御にかかわる光源の色温度による物体の黒体輻射に沿った色変化は、Ｃｂ／Ｙ−Ｃｒ／Ｙ座標上で、４に示すように、一定のカーブ（黒体輻射のカーブ）を描く。
【０００７】
従って、この黒体輻射カーブに近いＣｒ／Ｙ，Ｃｂ／Ｙの値を示す領域は、無彩色である可能性が高い。前記特許文献１の無彩色抽出方式では、撮像画像中で４に示す斜線部分のように、黒体輻射カーブを４つの直線で囲んだ領域に含まれるＣｒ／Ｙ，Ｃｂ／Ｙの値を示す領域を、無彩色領域として抽出し、ＣＣＤカメラから得られる色情報を補正することにより、ホワイトバランス制御を行っている。
【０００８】
また、撮像画像中に無彩色領域が存在しない場合は、無彩色抽出条件を緩和し、ＣＣＤカメラからの全ての色情報を用いて色情報の補正量に制限を加えることにより、有彩色の色情報が無彩色の色情報にならないように制限を加えている。
【０００９】
しかし、前記特許文献１の無彩色抽出方式では、撮像画像中に無彩色領域が存在しない場合は、無彩色抽出条件を緩和してＣＣＤカメラからの全ての色情報を用いて色情報の補正量に制限を加えるが、これは全画面の色差を「０」にするホワイトバランス制御に最大補正量の制限を加えたにすぎないので、有彩色の被写体に対しては極端な色ずれを起さないという程度の精度しか得られない。
【００１０】
そこで、前記欠点を改善し、撮像画像中に無彩色領域が存在しない場合でも高精度にホワイトバランス制御を行うことができるホワイトバランス制御装置が提案された（特許文献２）。
この特許文献２の提案は、撮像素子からのカラー画像信号のホワイトバランス制御を行い、撮像素子の撮像画像中に無彩色領域が存在しない場合には、撮像画像中の有彩色領域の色情報を利用してホワイトバランス制御を行うようにしたものである。
【００１１】
具体的には、例えば図５において、Ｃｂ／Ｙ−Ｃｒ／Ｙ座標上の黒体輻射に沿ったカーブを６つの直線で囲んだ領域を斜線で示し、色温度３６００Ｋを中心として２７００Ｋ〜７０００Ｋを制御する場合である。色情報判定器手段（図示省略）は、入力されたＹ１，Ｃｒ１，Ｃｂ１からＣｂ／Ｙ，Ｃｒ／Ｙを求め、これがＶのＣｂ／Ｙ−Ｃｒ／Ｙ座標上の斜線領域に含まれるか否かを調べ、Ｃｂ／Ｙ，Ｃｒ／ＹがＣｂ／Ｙ−Ｃｒ／Ｙ座標上の斜線領域に含まれる場合には、Ｙ１，Ｃｒ１，Ｃｂ１が無彩色領域の色情報であると判定して無彩色判定信号を有効値レベルとしている。
【００１２】
【特許文献１】
特開平２−２６１９３号公報（第３頁右下−第４頁左上、第１図）
【特許文献２】
特開平６−３１９１５０号公報（段落番号０００８−００１３、第１図）
【００１３】
【発明が解決しようとする課題】
しかしながら、前記特許文献２の手段では、無彩色領域における色情報の評価値が集まっている場合には、良好なホワイトバランス制御を行うことが不可能である。
例えば、後述の図１で９０パーセントくらいの評価値が固定値ゲインＷ４の付近に集まっていて、残りの値が低色温度領域Ｌのぎりぎりに集まっている場合には、良好なホワイトバランス制御を行うことができない。
【００１４】
本発明は、前記の事情にかんがみなされたもので、無彩色領域における色情報の評価値が極端に集中した箇所と、評価値が少量存在する箇所とが混在する場合にも、良好なホワイトバランス制御を行うことが可能なホワイトバランス制御装置およびホワイトバランス制御方法およびホワイトバランス制御方法を記録した記録媒体の提供を目的とする。
【００１５】
【課題を解決するための手段】
前記課題を解決するために請求項１の発明は、光学系を介して被写体からの光信号を電気信号であるカラー画像信号に変換して出力するカラー画像撮像手段を備え、該カラー画像撮像手段から入力されるカラー画像信号のゲインを調整してホワイトバランス制御を行うホワイトバランス制御装置において、
色温度カーブに沿って、複数の色温度領域を設定し、該複数設定した色温度領域の内の或る色温度領域に評価値が集中した場合には、該集中した評価値のみからオートホワイトバランス制御を行う構成としてある。
【００１６】
このようにすれば、例えば図１に示すように、色温度領域を３つに分け、高色温度領域Ｈ・中色温度領域Ｍ・低色温度領域Ｌの３箇所に色温度領域を設定し、外れた場所にある少量の評価値を対象評価値としないので、良好なホワイトバランス制御を行うことが可能となる。
【００１７】
また、請求項２では、請求項１記載のホワイトバランス制御装置において、
前記複数の色温度領域の内、評価値が集中する領域が複数ある場合には、評価値の多い色温度領域の評価値の加重からオートホワイトバランス制御を行う構成としてある。
【００１８】
このようにすれば、極端に評価値が存在する領域が複数ある場合に、物体色である可能性が高い少量の色温度領域の評価値のデータのみを省いているので、良好なホワイトバランス制御を行うことが可能となる。
【００１９】
また、請求項３では、請求項１〜請求項２記載のホワイトバランス制御装置において、
前記複数の色温度領域の内、優先順位をつけて１つの領域の評価値を用いてオートホワイトバランス制御を行う構成としてある。
このようにすれば、色温度領域に優先順位をもうける事で、撮影時に良くある環境の色温度領域の優先順位を高く設定するので、設計者が意図するホワイトバランス制御が可能となる。
【００２０】
また、請求項４では、光学系を介して被写体からの光信号を電気信号であるカラー画像信号に変換して出力し、該カラー画像信号のゲインを調整してホワイトバランス制御を行うホワイトバランス制御方法において、
色温度カーブに沿って、複数の色温度領域を設定するステップと、
該複数設定した色温度領域の内の或る色温度領域に評価値が集中した場合には、該集中した評価値のみからオートホワイトバランス制御を行うステップと
を備えた方法としてある。
【００２１】
このようにすれば、例えば図１に示すように、色温度領域を３つに分け、高色温度領域Ｈ・中色温度領域Ｍ・低色温度領域Ｌの３箇所に色温度領域を設定し、外れた場所にある少量の評価値を対象評価値としないようにしているので、良好なホワイトバランス制御を行うことが可能となる。
【００２２】
また、請求項５では、請求項４記載のホワイトバランス制御方法において、
前記複数の色温度領域の内、評価値が集中する領域が複数ある場合には、評価値の多い色温度領域の評価値の加重からオートホワイトバランス制御を行うステップを備えた方法としてある。
このようにすれば、極端に評価値が存在する領域が複数ある場合に、物体色である可能性が高い少量の色温度領域の評価値のデータのみを省くようにしているので、良好なホワイトバランス制御を行うことが可能となる。
【００２３】
また、請求項６では、請求項４〜請求項５記載のホワイトバランス制御方法において、
前記複数の色温度領域の内、優先順位をつけて１つの領域の評価値を用いてオートホワイトバランス制御を行うステップを備えた方法としてある。
このようにすれば、色温度領域に優先順位をもうける事で、撮影時に良くある環境の色温度領域の優先順位を高く設定するようにしているので、設計者が意図するホワイトバランス制御が可能となる。
【００２４】
また、請求項７では、請求項４〜請求項６記載のホワイトバランス制御方法のプログラムを、格納したコンピュータが読み取り可能な記録媒体とした構成としてある。
【００２５】
このようにすれば、例えば色温度領域を３つに分け、高色温度領域Ｈ・中色温度領域Ｍ・低色温度領域Ｌの３箇所に色温度領域を設定し、外れた場所にある少量の評価値を対象評価値としないプログラムを記録媒体に格納しているので、該記録媒体を撮像装置（例えば、デジタルカメラ）に装填し前記プログラムに従った制御を行えば、その撮像装置において、良好なホワイトバランス制御を行うことが可能となる。
【００２６】
【発明の実施の形態】
（１）  本発明の原理説明
本発明の実施形態の説明に先立ち、先ず本発明の原理を、図１，図２を参照しつつ説明する。
図１はシーンモードとホワイトバランスの設定関係を示す図、図２は本発明の原理における処理を示すフローチャート図である。
【００２７】
図１，図２に示すように、Ｒｇａｉｎ（Ｃｒ／Ｙ）−Ｂｇａｉｎ（Ｃｂ／Ｙ）座標上にて、白熱灯中心値Ｐ１と、晴天と白熱の中点Ｐ２と、蛍光灯中心値Ｐ３と、晴天固定値Ｐ４と、曇天固定値Ｐ５と、ストロボ固定値Ｐ６をプロットする。また、プロットＷ４とプロットＷ１４は、固定値ゲインである。プロットＣ４は、最高色温度相当、プロットＰａｌｒは、最低色温度相当である。
【００２８】
Ｒｇａｉｎ（Ｃｒ／Ｙ）−Ｂｇａｉｎ（Ｃｂ／Ｙ）座標において、Ｙは輝度信号、Ｃｒは色差信号（Ｒ−Ｙ）、Ｃｂは色差信号（Ｂ−Ｙ）、ＲｇａｉｎはＣｒ／Ｙ、ＢｇａｉｎはＣｂ／Ｙ、Ｒは赤の色情報、Ｂは青の色情報である。
【００２９】
前記各中心値，固定値等のプロット後、先ず高色温度領域Ｈと中色温度領域Ｍと低色温度領域Ｌとを矩形状に設定する（ステップＳ１）。ここに、それぞれの色温度領域のＲｇａｉｎ，Ｂｇａｉｎについて、最大値と最小値を設定する。即ち、３領域×２つのゲイン（ＲｇａｉｎとＢｇａｉｎ）×２（ＭＩＮとＭａｘ）の１２通りの組み合わせとなる（３×２×２＝１２）。
【００３０】
例えば、高色温度領域Ｈの場合は、曇天固定値Ｐ５とストロボ固定値Ｐ６と固定値ゲインＷ４と最高色温度相当Ｃ４を含み、且つＢｇａｉｎの最大値が１．９、最小値が０．２５であり、Ｒｇａｉｎの最大値が３．４、最小値が２．０の矩形状領域を設定する。
同様に、中色温度領域Ｍと低色温度領域Ｌを設定する。
【００３１】
次いで、図１に示した８×６のブロックにおいて、評価値が存在するブロックについて、各色温度領域の積算値を算出する（ステップＳ２）。
ここに、８×６のブロックとは、色温度領域をブロックに分けたものであり、評価値とは、撮像データに含まれるホワイトバランスの評価対象となるデータである。即ち、ＣＣＤから入ってくるＲＧＢの情報である。また、積算値の算出は、図３のマイコン６０により行う（後述）。
【００３２】
次いで、評価値が存在するブロック数の７０％（仮定値）のブロックが、高・中・低の何れの色温度領域に集中しているかを調べる。（ステップＳ３）。
例えば、高色温度領域Ｈのブロックに評価値の７０％が集中している場合が相当する。なお、７０％としたのは例示であり、よりホワイトバランス制御の精度を上げる場合には、例えば９０％に設定すればよいし、精度が低くてよい場合には、例えば５０％に設定すればよい。
【００３３】
ステップＳ３において、評価値の７０％以上が存在する色温度領域が無い場合には（ステップＳ３：Ｎｏ）、評価値が集中していない場合なので、ホワイトバランス制御を実施しない。
次いで、ステップＳ３において、評価値の７０％以上が存在する色温度領域がある場合には（ステップＳ３：Ｙｅｓ）、評価値の集中している色温度領域が１つであるか否か調べる（ステップＳ４）。
【００３４】
集中しているエリア（色温度領域）が１つの場合には（ステップＳ４：Ｙｅｓ）、その集中している色温度領域（例えば、高色温度領域Ｈ）の評価値を使用して、ＡＷＢ（オートホワイトバランス制御）を行う（ステップＳ５）。
【００３５】
ステップＳ４において、集中している色温度領域が複数の場合には（ステップＳ４：Ｎｏ）、信用できる評価値が例えば２箇所にある場合なので、集中している２つのエリア（色温度領域）の評価値のみを使用してＡＷＢを行う（ステップＳ６）。
【００３６】
そして、ＡＷＢを行う場合には、２つの色温度領域の中で優先順位を付け、１つの色温度領域の評価値を対象としてＡＷＢを実施するアルゴリズムを選択するか、加重をかける。
ここに、加重とは、例えば、２つの色温度領域が中色温度領域Ｍと低色温度領域Ｌであれば、低色温度の色合いに合わせると青っぽい画像になる。そこで、一般的に肌色等が青っぽくなるよりは、青っぽくならない方がいいという制御のために、中色温度領域Ｍの評価値を優先する。
以上の処理のプログラムは、マイコン６０（図３）に格納しておく。
【００３７】
（２）実施形態
以下、本発明を図示の実施形態に基づいて説明する。
まず、本発明にかかるホワイトバランス制御装置が適用される装置としてデジタルスチルカメラを例にとって説明する。
【００３８】
図３は、実施形態にかかるデジタルスチルカメラＤＳのシステムを示すブロック図である。
図３に示すように、デジタルスチルカメラＤＳは、画像入力部１０と、画像処理部２０と、表示部３０と、カメラ操作部４０と、ＥＥＰＲＯＭ５０と、マイクロコンピュータ（以下、マイコンと記す）６０と、メモリカード７０と、ＯＳＤ８０とを備えてなる。
【００３９】
画像入力部１０は、レンズユニット１１と、ＣＣＤ１２と、ＣＣＤ１２を駆動するタイミングＳＧ（制御信号発生器）１３と、ＣＣＤ出力電気信号（アナログ画像データ）をデジタルデータに変換するＡ／Ｄ変換器１４とを備える。さらに、ＣＣＤ１２は、例えば、インターレース方式で、メカニカルシャッター１５を併用することにより全画素読み出しが可能なタイプを用い、総画素数３２６万画素（水平２０８０画素、垂直１５６８画素）、有効画素数は３１４万画素（水平２０４８画素、垂直１５３６画素）のものを用いる。
【００４０】
１６はＣＤＳ（相関２重サンプリング：Ｃｏｒｒｅｌａｔｅｄ  Ｄｏｕｂｌｅ  Ｓａｍｐｌｉｎｇ）である。符号１７はモータドライバであり、レンズユニット１１を駆動する。符号１８はストロボであり、被写体への発光を行う。
【００４１】
画像処理部２０は、デジタル信号処理回路２１と、画像圧縮伸張回路２２と、データ記憶メモリ２３と、表示制御部２４と、フレームメモリ２５とを備える。
画像処理部２０は、マイコン６０の指示に基づいて、パラメータ格納部であるＥＥＰＲＯＭ５０に格納されている画像処理パラメータに従った画像処理を実行する。
デジタル信号処理回路２１は、Ａ／Ｄ変換器１４により変換後のデジタルデータに対して、画像データに変換する等の処理を行う。
【００４２】
画像圧縮伸張回路２２は、デジタル信号処理回路２１により処理された画像データに対し、画像圧縮・画像伸張の処理を行う。ここに、画像圧縮の符号化方法として、ＪＰＥＧ（Ｊｏｉｎｔ  Ｐｈｏｔｏｇｒａｐｈｉｃ  Ｅｘｐｅｒｔｓ  Ｇｒｏｕｐ）方式を採用する。このＪＰＥＧ方式の符号化アルゴリズムにはＡＤＣＴ（適応離散コサイン）を用い、最初に解像度の低い画像を符号化し、次第に解像度が高くなるような階層符号化を取り入れる。
【００４３】
データ記憶メモリ２３はバッファメモリであり、画像圧縮伸張回路２２により圧縮伸張処理された画像データを、一時的に格納する。
表示制御部２４は、デジタル信号処理回路２１で前述の画像処理がなされた撮像データを表示制御し、その撮像データを次に説明する表示部３０に送出する。
【００４４】
フレームメモリ２５は画像処理部２０で処理された撮像データを格納するためのものであり、少なくとも撮像画素の１画面以上の画像データを蓄積することができる画像メモリである。具体的には、例えば、ＶＲＡＭ（Ｖｉｄｅｏ  Ｒａｍ），ＳＲＡＭ（Ｓｔａｔｉｃ  Ｒａｎｄｏｍ  Ａｃｃｅｓｓ  Ｍｅｍｏｒｙ），ＤＲＡＭ（Ｄｙｎａｍｉｃ  Ｒａｎｄｏｍ  Ａｃｃｅｓｓ  Ｍｅｍｏｒｙ、あるいはＳＤＲＡＭ（シンクロナスＤＲＡＭ）などの、一般に用いられているメモリを用いる。
【００４５】
表示部３０は、液晶ディスプレイからなり、撮像データを表示する。
カメラ操作部４０は、撮像装置（画像入力部１０）の動作指示を行い、撮影を指示するレリーズキー、およびその他の各種設定を外部から行うためのボタンなどを備える。
ＥＥＰＲＯＭ５０は、前述のように画像処理を実行するための画像処理パラメータを格納する。
【００４６】
マイコン６０は、一般的に知られているマイクロコンピュータシステムが採用され、制御プログラムに基づいて所定の制御（撮像，記録，再生など）を実行するＣＰＵ，図２に示した処理のプログラムを含む各種の制御プログラムが格納されているＲＯＭ，ワーキングメモリ（作業領域）として使用されるＲＡＭなどによってなる。具体的には、マイコン６０は、撮像動作制御，画像処理装置における画像処理パラメータの設定，メモリコントロール，表示制御などを行う。
【００４７】
メモリカード７０は、データ記憶メモリ２３に格納されたデータを圧縮し、その圧縮データを格納（蓄積）しておく。メモリカード７０は、ユーザがデジタルスチルカメラ本体から挿脱可能である。なお、メモリカード７０の代わりに、例えば８ＭＢ程度の内部メモリ、あるいはスマートメディア，コンパクトフラッシュ（登録商標），ＳＤカードなどに記録する構成とすることも可能である。
ＯＳＤ８０はオンスクリーンディスプレイであり、撮影時に「フラッシュをたく」や「マクロモードである」等のマークを示すＬＣＤ（液晶）である。
【００４８】
次に、以上のように構成されたデジタルスチルカメラＤＳの動作について説明する。本動作説明における被写体は人物であるものとする。
画像入力部１０から入力されたデジタルデータ（撮像データ）は、フレームメモリ２５に一時保管される。
表示制御部２４は、フレームメモリ２５に書き込まれたデータを、表示制御部２４を介して表示部３０に送り、撮像画像の表示を行う。
【００４９】
画像圧縮伸張回路２２は、データ記憶メモリ（バッファメモリ）２３に書き込まれたデータをＪＰＥＧ方式で符号化し、その圧縮結果をメモリカード７０に蓄積する。
マイコン６０のＣＰＵは、ＲＯＭに格納されている制御プログラムに従ってＲＡＭを作業領域として使用しながら、カメラ操作部４０からの指示、あるいはリモコン（図示省略）などの外部動作指示、あるいはパーソナルコンピュータなどの外部端末（図示省略）からの通信による通信動作指示に従い、デジタルスチルカメラＤＳの全動作を制御する。
【００５０】
【発明の効果】
以上説明したように本発明によれば、以下の効果を発揮することができる。
請求項１記載の発明によれば、例えば、色温度領域を３つに分け、高色温度・中色温度・低色温度の３箇所に色温度領域を設定し、外れた場所にある少量の評価値を対象評価値としないので、良好なホワイトバランス制御を行うことが可能となる。
【００５１】
請求項２記載の発明によれば、極端に評価値が存在する領域が複数ある場合に、物体色である可能性が高い少量の色温度領域の評価値のデータのみを省いているので、良好なホワイトバランス制御を行うことが可能となる。
請求項３記載の発明によれば、色温度領域に優先順位をもうける事で、撮影時に良くある環境の色温度領域の優先順位を高く設定するので、設計者が意図するホワイトバランス制御が可能となる。
【００５２】
請求項４記載の発明によれば、色温度領域を３つに分け、高色温度領域Ｈ・中色温度領域Ｍ・低色温度領域Ｌの３箇所に色温度領域を設定し、外れた場所にある少量の評価値を対象評価値としないようにしているので、良好なホワイトバランス制御を行うことが可能となる。
請求項５記載の発明によれば、極端に評価値が存在する領域が複数ある場合に、物体色である可能性が高い少量の色温度領域の評価値のデータのみを省くようにしているので、良好なホワイトバランス制御を行うことが可能となる。
【００５３】
請求項６記載の発明によれば、色温度領域に優先順位をもうける事で、撮影時に良くある環境の色温度領域の優先順位を高く設定するようにしているので、設計者が意図するホワイトバランス制御が可能となる。
【００５４】
請求項７記載の発明によれば、例えば色温度領域を３つに分け、高色温度領域色温度領域Ｍ・低色温度領域Ｌの３箇所に色温度領域を設定し、外れた場所にある少量の評価値を対象評価値としないプログラムを記録媒体に格納しているので、該記録媒体を撮像装置（例えば、デジタルカメラ）に装填し前記プログラムに従った制御を行えば、その撮像装置において、良好なホワイトバランス制御を行うことが可能となる。
【図面の簡単な説明】
【図１】本発明の原理を説明する図であって、シーンモードとホワイトバランスの設定関係を示す図である。
【図２】本発明の原理における処理を示すフローチャート図である。
【図３】本発明の実施形態にかかるデジタルスチルカメラのブロック図である。
【図４】従来例（特許文献１）の色温度カーブを示す図である。
【図５】別の従来例（特許文献２）の色温度カーブを示す図である。
【符号の説明】
ＤＳ  デジタルスチルカメラ
１０  画像入力部
１１  レンズユニット
１２  ＣＣＤ
１３  タイミングＳＧ（制御信号発生器）
１４  Ａ／Ｄ変換器
１５  メカニカルシャッター
１６  ＣＤＳ
１７  モータドライバ
１８  ストロボ
２０  画像処理部
２１  デジタル信号処理回路
２２  画像圧縮伸張回路
２３  データ記憶メモリ
２４  表示制御部
２５  フレームメモリ
３０  表示部
４０  カメラ操作部
５０  ＥＥＰＲＯＭ
６０  マイコン
７０  メモリカード
８０  ＯＳＤ
【図１】
2004193712.tif 000003
【図２】
2004193712.tif 000004
【図３】
2004193712.tif 000005
【図４】
2004193712.tif 000006
【図５】
2004193712.tif 000007